(57)【要約】【課題】被検体のＸ線被曝を低減すること。【解決手段】被検体Ｐの血管へ注入された蛍光物質を混入した造影剤を検出する造影剤の検出装置であって、被検体の皮膚表面に取り付けられ、被検体の所望の血管Ｃ部位へ可視光線を照射する光線照射手段１６ａと、この光線照射手段により照射された光線に基づき、血管部位から得られる所定波長の光を検出する被検体の皮膚表面に取り付けられた光検出手段１６ｂとを具備した。これにより、Ｘ線を曝射することなく所定部位に造影剤が流れているか否か、すなわち、造影剤が到着したことが確実に検出できる。よって、造影剤の到着と同時にスキャンを開始すればよく、プリスキャンの必要もないので、被検体のＸ線被曝をより低減したＸ線ＣＴ装置が提供される。【選択図】      図３
2004248932.tif 000002
【特許請求の範囲】
【請求項１】
被検体の血管へ注入された蛍光物質を混入した造影剤を検出する方法であって、前記被検体の所望の血管部位へ可視光線を照射する光線照射手段と、この光線照射手段により照射された光線に基づき、前記血管部位から得られる所定波長の光を検出する光検出手段とを具備することを特徴とする造影剤の検出方法。
【請求項２】
被検体の血管へ注入された造影剤を検出する方法であって、前記被検体の所望の血管部位へ所定波長のレーザー光を照射するレーザー光照射手段と、このレーザー光照射手段により照射されたレーザー光の前記血管部位を透過した量を検出するレーザー光検出手段とを具備することを特徴とする造影剤の検出方法。
【請求項３】
被検体の血管へ注入された蛍光物質を混入した造影剤を検出する造影剤の検出装置であって、前記被検体の皮膚表面に取り付けられ、前記被検体の所望の血管部位へ可視光線を照射する光線照射手段と、この光線照射手段により照射された光線に基づき、前記血管部位から得られる所定波長の光を検出する前記被検体の皮膚表面に取り付けられた光検出手段とを具備することを特徴とする造影剤の検出装置。
【請求項４】
被検体の血管へ注入された造影剤を検出する造影剤の検出装置であって、前記被検体の皮膚表面に取り付けられ、所望の血管部位へ所定波長のレーザー光を照射するレーザー光照射手段と、このレーザー光照射手段により照射されたレーザー光の前記血管部位を透過した量を検出する前記被検体の皮膚表面に取り付けられたレーザー光検出手段とを具備することを特徴とする造影剤の検出装置。
【請求項５】
被検体の血管へ造影剤を注入してスキャンを実行するＸ線ＣＴ装置において、前記被検体の皮膚表面に取り付けられ、前記被検体の所望の血管部位へ可視光線を照射する光線照射手段と、この光線照射手段により照射された光線に基づき、前記血管部位から得られる所定波長の光を検出する前記被検体の皮膚表面に取り付けられた光検出手段と、この光検出手段の出力に基づきスキャンを開始させるスキャン開始手段とを具備することを特徴とするＸ線ＣＴ装置。
【請求項６】
前記スキャン開始手段に基づき、同一スライスについて複数の画像を得るスキャン実行手段をさらに具備することを特徴とする請求項５に記載のＸ線ＣＴ装置。
【請求項７】
被検体の血管へ造影剤を注入してスキャンを実行するＸ線ＣＴ装置において、前記被検体の皮膚表面に取り付けられ、所望の血管部位へ所定波長のレーザー光を照射するレーザー光照射手段と、このレーザー光照射手段により照射されたレーザー光の前記血管部位を透過した量を検出する前記被検体の皮膚表面に取り付けられたレーザー光検出手段と、このレーザー光検出手段の出力に基づきスキャンを開始させるスキャン実行手段とを具備することを特徴とするＸ線ＣＴ装置。
【請求項８】
前記スキャン開始手段に基づき、同一スライスについて複数の画像を得るスキャン実行手段をさらに具備することを特徴とする請求項７に記載のＸ線ＣＴ装置。
【請求項９】
被検体の血管へ造影剤を注入してスキャンを実行するＸ線ＣＴ装置において、前記被検体の血管へ注入された造影剤を、光、電気、磁気または超音波によって検出する検出手段を具備することを特徴とするＸ線ＣＴ装置。
【発明の詳細な説明】
【０００１】
【発明の属する技術分野】
本発明は、被検体に投与された造影剤を検出する造影剤の検出方法と、その造影剤を検出する造影剤の検出装置およびＸ線ＣＴ装置に関する。
【０００２】
【従来の技術】
Ｘ線ＣＴ装置は、それが発明されて以来めざましい進歩を遂げ、今や医療機器としてなくてはならないものとなっている。このＸ線ＣＴ装置を用いて、被検体を移動させず同一部位を複数回撮影することにより、同一スライスの複数の画像から撮影部位の時間変化を観察する、ダイナミックスキャンと呼ばれる手法が知られている。このダイナミックスキャンは、特に血行の動態観察に適した手法でもあり、血液の流れを描出するために造影剤が用いられる。
例えば、頭部血管造影に際しては、先ず、被検体の肘静脈に造影剤を注入してプリスキャンを開始して頚部の断層像をリアルタイムで再構成する。次に、この画像から頚動脈に造影剤が流入したことを目視で確認したり、濃度変化のデータをグラフ化することにより頚動脈に造影剤が流入したことを自動的に判定したりして、タイミングを測って本スキャン開始信号を発する。そして、本スキャン開始信号により、プリスキャン位置から本スキャン位置へ被検体を載せた寝台を移動させ、本スキャンを開始させるものが知られている（例えば、特許文献１参照。）。
【０００３】
【特許文献１】
特開平７−１９４５８８号公報（第５−７頁、図６、図８、図１３）
【０００４】
【発明が解決しようとする課題】
しかしながら、上記の従来の手段では、プリスキャンによって頚部に造影剤が到達したことを知るものであり、プリスキャンに伴う被検体へのＸ線被曝を排除することはできなかった。
なお、造影剤を注入してから撮影位置に造影剤が到達するまでの時間Ｔ１を経験的に求めておき、造影剤を注入してから時間Ｔ１後にスキャンを開始することも行われている。しかしディレイ時間Ｔ１は、血流の速さなどに依存して被検体毎に異なるので、本撮影を失敗しないように実施するためには、ばらつきのある到達時間の中で最も短い時間にディレイ時間Ｔ１を設定することになる。そのため、血流の遅い被検体の場合には、造影剤の到着するまでの間被検体に無駄な被曝を与えることになっていた。
本発明は、このような問題を解決し、被検体のＸ線被曝を低減することを目的としてなされたものである。
【０００５】
【課題を解決するための手段】
上述の課題を解決するため、請求項１に記載の発明は、被検体の血管へ注入された蛍光物質を混入した造影剤を検出する方法であって、前記被検体の所望の血管部位へ可視光線を照射する光線照射手段と、この光線照射手段により照射された光線に基づき、前記血管部位から得られる所定波長の光を検出する光検出手段とを具備することを特徴とし、請求項２に記載の発明は、被検体の血管へ注入された造影剤を検出する方法であって、前記被検体の所望の血管部位へ所定波長のレーザー光を照射するレーザー光照射手段と、このレーザー光照射手段により照射されたレーザー光の前記血管部位を透過した量を検出するレーザー光検出手段とを具備することを特徴とする。
これにより、Ｘ線を曝射することなく所定部位に造影剤が流れているか否か、すなわち、造影剤が到着したことを確実に検出することができる。
【０００６】
また、請求項３に記載の発明は、被検体の血管へ注入された蛍光物質を混入した造影剤を検出する造影剤の検出装置であって、前記被検体の皮膚表面に取り付けられ、前記被検体の所望の血管部位へ可視光線を照射する光線照射手段と、この光線照射手段により照射された光線に基づき、前記血管部位から得られる所定波長の光を検出する前記被検体の皮膚表面に取り付けられた光検出手段とを具備することを特徴とし、請求項４に記載の発明は、被検体の血管へ注入された造影剤を検出する造影剤の検出装置であって、前記被検体の皮膚表面に取り付けられ、所望の血管部位へ所定波長のレーザー光を照射するレーザー光照射手段と、このレーザー光照射手段により照射されたレーザー光の前記血管部位を透過した量を検出する前記被検体の皮膚表面に取り付けられたレーザー光検出手段とを具備することを特徴とする。
これにより、Ｘ線を曝射することなく所定部位に造影剤が流れているか否か、すなわち、造影剤が到着したことを確実に検出することのできる装置が提供される。
【０００７】
さらに、請求項５に記載の発明は、被検体の血管へ造影剤を注入してスキャンを実行するＸ線ＣＴ装置において、前記被検体の皮膚表面に取り付けられ、前記被検体の所望の血管部位へ可視光線を照射する光線照射手段と、この光線照射手段により照射された光線に基づき、前記血管部位から得られる所定波長の光を検出する前記被検体の皮膚表面に取り付けられた光検出手段と、この光検出手段の出力に基づきスキャンを開始させるスキャン実行手段とを具備することを特徴とし、請求項６に記載の発明は、請求項５に記載のＸ線ＣＴ装置において、前記スキャン開始手段に基づき、同一スライスについて複数の画像を得るスキャン実行手段をさらに具備することを特徴とする。
そして、請求項７に記載の発明は、被検体の血管へ造影剤を注入してスキャンを実行するＸ線ＣＴ装置において、前記被検体の皮膚表面に取り付けられ、所望の血管部位へ所定波長のレーザー光を照射するレーザー光照射手段と、このレーザー光照射手段により照射されたレーザー光の前記血管部位を透過した量を検出する前記被検体の皮膚表面に取り付けられたレーザー光検出手段と、このレーザー光検出手段の出力に基づきスキャンを開始させるスキャン実行手段とを具備することを特徴とし、請求項８に記載の発明は、請求項７に記載のＸ線ＣＴ装置において、前記スキャン開始手段に基づき、同一スライスについて複数の画像を得るスキャン実行手段をさらに具備することを特徴とする。
これらにより、Ｘ線を曝射することなく所定部位に造影剤が到着したことを知ってスキャンを開始させることができるとともに、血行動態観察のためのスキャンを失敗なく実施することが可能となり、被検体のＸ線被曝を低減することのできるＸ線ＣＴ装置を提供することができる。
【０００８】
加えて、請求項９に記載の発明は、被検体の血管へ造影剤を注入してスキャンを実行するＸ線ＣＴ装置において、前記被検体の血管へ注入された造影剤を、光、電気、磁気または超音波によって検出する検出手段を具備することを特徴とする。
これにより、Ｘ線を曝射することなく所定部位に造影剤が到着したことを知ることのできる被検体のＸ線被曝を低減したＸ線ＣＴ装置が提供される。
【０００９】
【発明の実施の形態】
以下、本発明に係る造影剤の検出方法とその装置およびＸ線ＣＴ装置の実施の形態について、図１ないし図７を参照して詳細に説明する。なお、本発明をＸ線ＣＴ装置の実施の形態を中心にして説明するものとし、この説明から造影剤の検出方法とその装置についての実施の形態についても明らかにする。
図１は、本発明に係るＸ線ＣＴ装置の、一実施の形態の概略的な構成を示した系統図である。
Ｘ線管１とＸ線検出器２とは、寝台天板３に載置された被検体Ｐを挟んで対向するように、図示しない架台回転機構によって回転駆動される回転架台４に保持されている。この架台回転機構による回転架台４の回転動作は、架台回転制御部５によって制御される。Ｘ線管１には、Ｘ線制御部６を介して管電圧や管電流が供給され、Ｘ線の曝射条件が制御される。Ｘ線検出器２は、データ収集制御部７の制御によってＸ線検出可能な状態に制御される。そして寝台天板３は、寝台制御部８によって被検体Ｐを所定の撮影位置へと移動させられる。
Ｘ線管１から曝射され、被検体Ｐを透過したＸ線はＸ線検出器２で検出され、Ｘ線検出器２の各チャンネルで検出されたデータは、投影データとしてデータ収集部９で収集される。さらに、収集された投影データは、メモリ１０を介して再構成装置１１へ供給され、再構成装置１１は、多方向の投影データからリアルタイムに断層像を再構成する。この再構成された断層像はモニタ１２に表示される。
【００１０】
このような各種機器を有するＸ線ＣＴ装置のシステム全体を統括的に制御するものとして、ＣＰＵやメモリなどを備えたシステム制御部１３が設けられている。そして、このシステム制御部１３は、スキャン制御部１４と再構成装置１１とを直接制御するとともに、スキャン制御部１４を介してスキャン動作のための架台回転制御部５、Ｘ線制御部６、寝台制御部８およびデータ収集部９を制御する。
なお、システム制御部１３には、キーボードやマウス、トラックボール、ジョイスティックなどのポインティングデバイスを備えた操作部１５が接続されている。また、スキャン制御部１４には、造影剤の到着を検出する造影剤検出部１６からの、出力信号を処理する検出信号処理部１７が接続されている。
【００１１】
次に、このように構成されたＸ線ＣＴ装置による、ダイナミックスキャンの実施について説明する。
図２は、頭部のダイナミックスキャンを実施するときの様子を示したものであり、造影剤検出部１６を被検体Ｐの頚部の皮膚表面に、内頚動脈Ｃ上に位置するように適宜の手段により接着した後、寝台天板３を移動して被検体Ｐの頭部を所定のスキャン位置におく。そして、被検体Ｐに造影剤を注入し、その造影剤が頚部に到達するのを待つ。造影剤が頚部に到達すると造影剤検出部１６から検出信号が得られるので、その検出信号を検出信号処理部１７にて処理し、スキャン開始信号としてスキャン制御部１４へ供給し、Ｘ線管１からＸ線を曝射して同一スライスについて複数のＣＴ画像を得る。このようにすれば、タイミング良く正確にスキャンを開始することができ、被検体Ｐにとっても無用なＸ線被曝を受けることが防止される。
【００１２】
ここで、上記のような造影剤の検出手段について、図３ないし図５を参照してより詳細に説明する。
本実施の形態において造影剤の検出手段は、造影剤検出部１６と検出信号処理部１７とから構成される。また、被検体Ｐへ投与する造影剤としては、通常使用されるヨード系造影剤に、例えばｍｏｎｏ−Ｌ−ａｓｐａｒｔｙ１  ｃｈｌｏｒｉｎ  ｅ６のような物質を混入したものを使用する。この物質は蛍光物質なので、これに可視光線を当てると発光する。
そこで造影剤検出部１６としては、図３に示すように、可視光線発光部分１６ａと光検出部分１６ｂから成り、被検体Ｐの頚部に位置する内頚動脈Ｃ上の皮膚表面に、適宜の手段により接着する。すなわち、図３中矢印で示す内頚動脈Ｃを流れる血流方向に沿って、被検体Ｐの心臓に近い側に可視光線発光部分１６ａを配置するとともに、可視光線発光部分１６ａに隣接して被検体Ｐの頭部側に光検出部分１６ｂを配置する。なお、図３（ａ）は造影剤検出部１６を被検体Ｐに取り付けた状態を示した正面図、図３（ｂ）は同じく側面図であり、内頚動脈Ｃは仮想的に表示したものである。
【００１３】
そして、可視光線発光部分１６ａから、皮膚直下の内頚動脈Ｃへ可視光線を照射することにより、内頚動脈Ｃを流れる造影剤にＮｐｅ６が混入されていれば、この照射された可視光線に基づき造影剤に混入されたＮｐｅ６が発光するので、その光が光検出部分１６ｂによって検出され、造影剤の有無或いは到着の様子を検出することができる。この光検出部分１６ｂからの検出信号は、検出信号処理部１７によって処理され、スキャン開始信号としてスキャン制御部１４へ送られる。
すなわち、造影剤に混入したＮｐｅ６は、波長４００ｎｍ程度の光を発するので、光検出部分１６ｂではこの波長の光（以下説明の便宜上、波長を４００ｎｍとする。）のみを検出できることが望ましい。ただし、そのような光検出部分１６ｂが入手困難であれば、検出信号処理部１７において、光検出部分１６ｂで検出した光を、高速にスペクトル解析することによって、ほぼリアルタイムに波長４００ｎｍの光の強度を出力する。
【００１４】
図４は、光検出部分１６ｂで検出した光スペクトルの一例を示したものであり、この中から検出信号処理部１７でのスペクトル解析により波長４００ｎｍの光を抽出し、その強度をリアルタイムに継続的に観察すると、図５のような出力特性曲線が得られる。すなわち、モニタリングしている光強度ａＩｓは、造影剤が到着する前（例えば時間ｔ０）は、定常状態の光強度の平均値ｍＩｓしか示さなかったものが、Ｎｐｅ６の混入された造影剤が造影剤検出部１６の直下を通過し始める（時間ｔ１）と、この時点から光検出部分１６ｂの出力が急激に増加する。そこで、定常状態における光強度の平均値ｍＩｓの標準偏差をｓｄＩｓとして、光強度ａＩｓが次の（１）式を満たしたときを、造影剤が造影剤検出部１６の直下に達したと判断する。
ａＩｓ    ＝  ｍＩｓ  ＋  ３ｓｄＩｓ      ・・・  （１）
なお、（１）式において、拍動の影響を補正するようにしてもよい。また、皮膚の光の透過率は個々の被検体によって異なるが、その影響とノイズの影響をこの（１）式を適用することによって排除することができる。
【００１５】
一方、検出信号処理部１７としては、信号取り込み機能、スペクトル解析機能、グラフ描画機能、比較・演算機能などを有しており、光検出部分１６ｂからの信号を取り込んでそのスペクトル解析を行い、その結果として図５に示したような特性曲線を描画させる。さらに、式（１）の演算を行って、光強度ａｌｓが（１）式を満たしたときに、スキャン開始信号を発してこれをスキャン制御部１４へ送出する。
なお、図５に示した特性曲線は、検出信号処理部１７自体に表示しても良いし、Ｘ線ＣＴ装置のモニタ１２に表示するようにしても良い。また、検出信号処理部１７には、信号取り込み機能とスペクトル解析機能だけをもたせ、グラフ描画機能や比較・演算機能などは、Ｘ線ＣＴ装置の例えばシステム制御部１３などにもたせても良い。
このように、本実施の形態によれば、スキャンすべき頭部の直前である頚部において、プリスキャンのようなＸ線の曝射を伴うことなく造影剤の到着を確実に検出することができる。そして、頭部に造影剤が到着する直前にスキャンを開始させることができるので、血行動態観察のためのスキャンを失敗なく実施することが可能となるとともに、被検体Ｐにとっても無用なＸ線被曝を受けることが防止される。
【００１６】
次に、本発明における造影剤の検出手段に関して、他の実施の形態について、図６および図７を参照して説明する。
この実施の形態では、先の実施の形態で説明したような蛍光物質を混合した造影剤を用いることなく、ヨード系造影剤或いはＸｅｎｏｎ系造影剤のように通常使用される造影剤をそのまま用いて血行動態の観察を可能とするものであり、血管内の光の透過率を測定することによって、造影剤の到着を検出している。そのため造影剤検出部１６は、所定波長のレーザー光を発光するレーザー光源部分１６ｃと、そのレーザー光を検出するレーザー光検出部分１６ｄとから構成される。
これらレーザー光源部分１６ｃとレーザー光検出部分１６ｄとを、図６に示すように、被検体Ｐの頚部に位置する内頚動脈Ｃを間に挟むようにして、皮膚表面に適宜接着などの手段により配置する。なお、図６（ａ）は造影剤検出部１６を被検体Ｐに取り付けた状態を示した正面図、図６（ｂ）は同じく被検体Ｐの体軸方向（図６（ａ）のＡ−Ａ線方向。）から見た平面図であり、内頚動脈Ｃは仮想的に表示したものである。
そして、レーザー光源部分１６ｃから内頚動脈Ｃへレーザー光を照射することにより、内頚動脈Ｃを透過したレーザー光がレーザー光検出部分１６ｄで検出され、時間の経過とともに継続して観察すると、図７に示すような出力特性曲線が得られる。すなわち、レーザー光源部分１６ｃからレーザー光検出部分１６ｄまでの光の透過率を継続して計測すると、造影剤がレーザー光源部分１６ｃとレーザー光検出部分１６ｄとの光路を横切る位置に達したとき（ｔ２）、光の透過率が減少することがわかる。よって、この光の透過率の変化をほぼリアルタイムに継続して計測することにより、造影剤の有無或いは計測点への造影剤の到着の様子を検出することができる。
【００１７】
そこで、このレーザー光検出部分１６ｄからの検出信号を、検出信号処理部１７によって処理した後スキャン制御部１４へ送り、スキャン開始信号として利用する。すなわち、レーザー光検出部分１６ｄからの検出信号に基づき、光の透過率が定常状態から明らかに減少する時点を検出信号処理部１７において検出する。ここで定常状態とは、造影剤が注入されていないときの状態を言う。レーザー光検出部分１６ｄで検出される光強度ａＴｓは、造影剤が注入されていなければ定常状態における光強度の平均値ｍＴｓを示すことになるが、造影剤が流れて来ると、光強度ａＴｓは急激に低下する。従って、光強度の平均値ｍＴｓの標準偏差をｓｄＴｓとして、光強度ａＴｓが次の（２）式を満たしたときを、造影剤が造影剤検出部１６を横切る位置に達したと判断する。
ａＴｓ    ＝  ｍＴｓ  ＋  ３ｓｄＴｓ      ・・・  （２）
このようにすれば、スキャンすべき頭部の直前である頚部において、プリスキャンのようなＸ線の曝射を伴うことなく造影剤の到着を確実に検出することができる。そして、頭部に造影剤が到着する直前にスキャンを開始させることができるので、血行動態観察のためのスキャンを失敗なく実施することが可能となるとともに、被検体Ｐにとっても無用なＸ線被曝を受けることが防止される。
なお、この実施の形態では、ヨード系造影剤或いはＸｅｎｏｎ系造影剤のような造影剤をそのまま用いるものとして説明したが、例えば、血液の呈する光透過率よりも低くなるような物質を混合したり着色したりした造影剤を用いても、（２）式の関係から造影剤の到着を検出することができる。
【００１８】
本発明は、上述の実施の形態に限定されることなく、種々の形態としての実施が可能である。
造影剤の発光を検出したり血液と異なる光の透過率を検出したりする他にも、例えば、造影剤に磁性体を混入したものを用い、被検体の皮膚表面に磁気感知器を設けることにより造影剤の到着を検出することができる。また、造影剤を血液よりも高い電解質濃度を示すものとしたり、造影剤に電気的に反応する物質を混入したものを用いたりすることによっても、被検体の皮膚表面から電気的に造影剤の到着を検出することができる。さらに、造影剤として微少気泡を含むようなものを用いれば、被検体の皮膚表面から超音波によって造影剤の到着を検出することができる。これにより、Ｘ線被曝を伴わずに造影剤の到着を検出することができる。
【００１９】
また本発明は、内頚動脈を流れる造影剤を検出するだけではなく、大腿動脈や腹部大動脈のように、皮膚表面から遠い部位にある血管中を流れる造影剤の検出も可能であり、頭部以外の部位での血行動態観察のためのスキャンにも有効に活用することができる。勿論、血行動態観察のためのスキャンに限らず、Ｘ線ＣＴ装置による通常の造影撮影においても、造影剤の到着にタイミングを合わせてスキャンを実施するために利用することができる。
さらに、上記の各実施の形態では、造影剤検出部１６を被検体Ｐの皮膚表面に接着するものとして説明したが、接着に限ることなく要は造影剤検出部１６を被検体Ｐの皮膚表面に取り付けることができればどのような手段で配置されても構わない。
【００２０】
【発明の効果】
以上詳細に説明したように、請求項１および請求項２に記載の発明によれば、Ｘ線を曝射することなく所定部位に造影剤が流れているか否か、すなわち、造影剤が到着したことを確実に検出することができる。また、請求項３および請求項４に記載の発明によれば、Ｘ線を曝射することなく所定部位に造影剤が流れているか否か、すなわち、造影剤が到着したことを確実に検出するための装置が提供される。
さらに、請求項５ないし請求項８に記載の発明によれば、Ｘ線を曝射することなく所定部位に造影剤が到着したことを知ってスキャンを開始させることができるとともに、プリスキャンを必要とせずに血行動態観察のためのスキャンを可能として、被検体のＸ線被曝を低減させるＸ線ＣＴ装置が提供される。加えて、請求項９に記載の発明によれば、Ｘ線を曝射することなく所定部位に造影剤が到着したことを知ることのできる被検体のＸ線被曝を低減したＸ線ＣＴ装置が提供される。
【図面の簡単な説明】
【図１】本発明の一実施の形態としての、Ｘ線ＣＴ装置の概略的な構成を示した系統図である。
【図２】図１に示したＸ線ＣＴ装置の使用状況を示した説明図である。
【図３】本発明における造影剤の検出手段としての、造影剤検出部の一実施の形態を説明するために示した説明図である。
【図４】造影剤検出部の光検出部分の作用を説明するために示した特性図である。
【図５】本発明における造影剤の検出手段としての、検出信号処理部の一実施の形態の作用を説明するために示した特性図である。
【図６】造影剤検出部の、他の実施の形態を説明するために示した説明図である。
【図７】検出信号処理部の、他の実施の形態の作用を説明するために示した特性図である。
【符号の説明】
１６  造影剤検出部
１６ａ  可視光線発光部分
１６ｂ  光検出部分
１７  検出信号処理部
Ｃ  内頚動脈
Ｐ  被検体
【図１】
2004248932.tif 000003
【図２】
2004248932.tif 000004
【図３】
2004248932.tif 000005
【図４】
2004248932.tif 000006
【図５】
2004248932.tif 000007
【図６】
2004248932.tif 000008
【図７】
2004248932.tif 000009